(57)【要約】【課題】建築工事騒音のマスキングに対応でき、且つ、工事エリアの移動にも追随し易いようにする。【解決手段】建築工事騒音を発生する工事エリアＫと、その工事エリアＫに近接する複数の部屋Ｒとを備えた対象建築物Ｂにおいて、建築工事騒音をマスキングするためのマスキング音を部屋Ｒで再生して、部屋Ｒにおいて在室者が感じる建築工事騒音を緩和する工事騒音マスキング設備であって、複数の部屋Ｒにそれぞれ設置撤去が可能で且つマスキング音の再生が可能な複数の再生装置１と、部屋Ｒの建築工事騒音に対応するマスキング音が再生されるように信号データ２を再生装置１に送信する送信装置３とを設けてある。【選択図】図１
2012247698.tif 000002
【特許請求の範囲】
【請求項１】
建築工事騒音を発生する工事エリアと、その工事エリアに近接する複数の部屋とを備えた対象建築物において、前記建築工事騒音をマスキングするためのマスキング音を前記部屋で再生して、前記部屋において在室者が感じる建築工事騒音を緩和する工事騒音マスキング設備であって、
前記複数の部屋にそれぞれ設置撤去が可能で且つ前記マスキング音の再生が可能な複数の再生装置と、
前記部屋の建築工事騒音に対応する前記マスキング音が再生されるように信号データを前記再生装置に送信する送信装置とを設けてある工事騒音マスキング設備。
【請求項２】
前記送信装置は、前記工事エリアに設置撤去することが可能に構成してあり、
無線放送によって、音データからなる前記信号データを前記再生装置に送信するように構成してある請求項１に記載の工事騒音マスキング設備。
【請求項３】
前記送信装置は、前記信号データを、有線又は無線ＬＡＮによって前記再生装置に送信するように構成してある請求項１に記載の工事騒音マスキング設備。
【請求項４】
前記送信装置は、前記工事エリアでの工事予定を入力可能な記録部と、前記記録部に記録されている前記工事予定に合わせて前記信号データを送信制御する制御部とを備えている請求項１〜３の何れか一項に記載の工事騒音マスキング設備。
【請求項５】
前記信号データは、対象となる建築工事騒音の種類に対応して複数種備えてあり、
前記制御部は、前記工事予定に記された工種をもとにして建築工事騒音の種類を特定し、対応する信号データを選択して送信制御するように構成してある請求項４に記載の工事騒音マスキング設備。
【請求項６】
建築工事騒音を発生する工事エリアと、その工事エリアに近接する複数の部屋とを備えた対象建築物において、前記建築工事騒音をマスキングするためのマスキング音を前記部屋で再生して、前記部屋において在室者が感じる建築工事騒音を緩和する工事騒音マスキング方法であって、
アッテネータを備えた再生装置を各部屋に設けておくと共に、前記各再生装置に前記マスキング音を送信可能な送信装置を設けておき、
建築工事の実施に伴って、前記工事エリアに隣接する部屋の前記再生装置のみが前記マスキング音を再生するように前記アッテネータを切替操作し、前記送信装置から前記再生装置に前記マスキング音を送信する工事騒音マスキング方法。
【発明の詳細な説明】
【技術分野】
【０００１】
本発明は、建築工事騒音を発生する工事エリアと、その工事エリアに近接する複数の部屋とを備えた対象建築物において、前記建築工事騒音をマスキングするためのマスキング音を前記部屋で再生して、前記部屋において在室者が感じる建築工事騒音を緩和する工事騒音マスキング設備  及び  工事騒音マスキング方法に関する。
【背景技術】
【０００２】
従来、この種のマスキング技術としては、隣接する部屋において、隣室からの会話等の音を聞こえ難くするものがあった（例えば、特許文献１参照）。
これは、それぞれの部屋の天井裏に、ピンクノイズやホワイトノイズ等のマスキング音を流す音源装置（再生装置）を組み込んでおき、各音源装置からマスキング音を一斉に流すことで、両部屋ともに隣室からの音を聞こえ難くするものである。
【先行技術文献】
【特許文献】
【０００３】
【特許文献１】特開２０１０−３１５０１号公報（図１）
【発明の概要】
【発明が解決しようとする課題】
【０００４】
上述した従来のマスキング技術は、人の話声等をマスキング対象にして構成されており、例えば、建物改修や増築等によって発生する建築工事騒音をマスキングするようには構成されていなかった。
建築工事騒音には、空間を通して伝わる音に加えて、例えば、床や壁等の躯体を通じて伝わる振動音等もあり、これらの建築工事騒音は、工事エリアでの建築工事の工種によって異なった騒音となる。即ち、従来のマスキング技術によれば、単に、人の話声等をマスキングの対象としているから、上述のように各種建築工事騒音が発生する場合には適用できない虞があった。
また、工事エリアは、工事の進捗によって順次移動していく可能性があり、そう言った建築工事独特の事情にも、従来のマスキング技術では対応し難い虞があった。
【０００５】
従って、本発明の目的は、上記問題点を解消し、建築工事騒音のマスキングに対応でき、且つ、工事エリアの移動にも追随し易い工事騒音マスキング技術を提供するところにある。
【課題を解決するための手段】
【０００６】
本発明の第１の特徴構成は、建築工事騒音を発生する工事エリアと、その工事エリアに近接する複数の部屋とを備えた対象建築物において、前記建築工事騒音をマスキングするためのマスキング音を前記部屋で再生して、前記部屋において在室者が感じる建築工事騒音を緩和する工事騒音マスキング設備であって、前記複数の部屋にそれぞれ設置撤去が可能で且つ前記マスキング音の再生が可能な複数の再生装置と、前記部屋の建築工事騒音に対応する前記マスキング音が再生されるように信号データを前記再生装置に送信する送信装置とを設けてあるところにある。
【０００７】
工事エリアでの建築工事は、一般的には工事の進捗に伴って工種（例えば、斫り工や、ガラ撤去工や、型枠工や、鉄筋工や、コンクリート打設工等）が変化するが、それぞれの工種によって発生する建築工事騒音の種類も変化する。
本発明の第１の特徴構成によれば、工事エリアでの建築工事の工種が異なっても、それら工種に対応したマスキング音が再生装置から再生されるように、送信装置から再生装置に対して信号データを送信することができる。
従って、建築工事の実施に伴って発生する騒音に対して、適宜、良好なマスキング効果が得られるマスキング音を選択して、前記部屋で再生することができる。
また、再生装置は、部屋に対して設置撤去が可能であるから、部屋における既存の再生装置の有無に拘わらず、当該再生装置を簡単に設置して工事騒音マスキングを実施できる。また、使用後は、簡単に部屋から撤去して元の状態に戻すことができる。
更には、工事の進捗に伴って工事エリアが移動するような場合、それに伴ってマスキングが必要となる部屋も変わるが、その際にも、再生装置を該当する部屋に簡単且つ迅速に移動させることができる。
従って、建築工事を止めることなく、効率よく再生装置の移動を図りながら、移動した部屋で高いマスキング効果を発揮することができる。
即ち、工事騒音のマスキング効果を良好に発揮でき、且つ、工事エリアの移動にも効率的に対応することができ、建築工事に特化したマスキングを良好な形で実現できるようになる。
因みに、信号データとは、マスキング音そのものの音データであることの他、例えば、再生装置にマスキング音の音データが用意されているような場合には、再生装置に対して該当する音データを再生させるための指令信号データが信号データとなる。
【０００８】
本発明の第２の特徴構成は、前記送信装置は、前記工事エリアに設置撤去することが可能に構成してあり、無線放送によって、音データからなる前記信号データを前記再生装置に送信するように構成してあるところにある。
【０００９】
本発明の第２の特徴構成によれば、送信装置は、工事エリアに設置撤去できるように構成してあるから、工事エリアに送信装置を簡単に配置することができ、前記再生装置と合わせて、対象となる場所に効率よく設置して、迅速に工事騒音マスキングを開始することができる。また、使用後は、迅速に撤去することができるのは勿論のことである。
更には、工事エリアにおいて直接に送信装置を操作できるから、現場での建築工事騒音の発生状況に合わせて送信装置を効率よく作動させることができる。
また、送信装置を操作する人員は、工事エリアで建築工事を行う人員と兼用化できるから、人員コストの低減化を図ることができる。
更には、工事の進捗に伴って工事エリアが移動するような場合に、送信装置を該当する工事エリアに簡単且つ迅速に移動させることができることに加えて、無線によって再生装置に音データを送信できるから、配線等が不要となり、より簡単に設置作業や移動作業を実施することができる。
【００１０】
本発明の第３の特徴構成は、前記送信装置は、前記信号データを、有線又は無線ＬＡＮによって前記再生装置に送信するように構成してあるところにある。
【００１１】
本発明の第３の特徴構成によれば、送信装置と再生装置とが、有線又は無線ＬＡＮによって繋がっているから、ＬＡＮを通じて、送信装置と再生装置との制御や、マスキングに関連したデータの管理等を行うことができ、より組織的に工事騒音マスキングを実施できるようになる。
また、対象建築物に既存のＬＡＮが備えられている場合には、そのまま使用することができ、設備費の低減を図ることができる。
【００１２】
本発明の第４の特徴構成は、前記送信装置は、前記工事エリアでの工事予定を入力可能な記録部と、前記記録部に記録されている前記工事予定に合わせて前記信号データを送信制御する制御部とを備えているところにある。
【００１３】
本発明の第４の特徴構成によれば、工事エリアでの工事予定を制御部に入力しておくことで、その予定に合わせて、制御部が再生装置への信号データの送信を自動的に行うことができる。
従って、送信装置の操作に気を取られずに、工事に専念することができ、作業効率の向上を図ることができる。
【００１４】
本発明の第５の特徴構成は、前記信号データは、対象となる建築工事騒音の種類に対応して複数種備えてあり、
前記制御部は、前記工事予定に記された工種をもとにして建築工事騒音の種類を特定し、対応する信号データを選択して送信制御するように構成してあるところにある。
【００１５】
本発明の第５の特徴構成によれば、工事エリアで実施する工種を送信装置の記録部に入力しておくだけの簡単な操作によって、その工種で生じる工事騒音に対応したマスキング音が、再生装置から再生されて、対象とした部屋での工事騒音のマスキングを効果的に行うことができる。
即ち、該当する部屋でマスキング音の再生を実施する際に、どのようなマスキング音を再生させるかの選択を行わなくても、制御部において自動的に、発生される工事騒音に対して効果的なマスキング音が選択されるようになる。
その結果、該当する工事騒音に対してどのようなマスキング音が効果的であるかの知識の有無に拘わらず、最適なマスキング音の選択が行われて、より確実に効果的な工事騒音マスキングを実施できるようになる。
【００１６】
本発明の第６の特徴構成は、建築工事騒音を発生する工事エリアと、その工事エリアに近接する複数の部屋とを備えた対象建築物において、前記建築工事騒音をマスキングするためのマスキング音を前記部屋で再生して、前記部屋において在室者が感じる建築工事騒音を緩和する工事騒音マスキング方法であって、
アッテネータを備えた再生装置を各部屋に設けておくと共に、前記各再生装置に前記マスキング音を送信可能な送信装置を設けておき、
建築工事の実施に伴って、前記工事エリアに隣接する部屋の前記再生装置のみが前記マスキング音を再生するように前記アッテネータを切替操作し、前記送信装置から前記再生装置に前記マスキング音を送信するところにある。
【００１７】
工事エリアでの建築工事によって発生する工事騒音は、壁や床を伝って周囲に伝わるが、特に、工事エリアに隣接する部屋では、他の部屋に比べて工事騒音がより強く感じられる。一方、騒音緩和のために流されるマスキング音は、在室者が苦痛には感じ難い種類の音が使用されるわけであるが、それでも、何も流さない自然状態に比べたら静寂性は劣る。
本発明の第６の特徴構成によれば、工事エリアに隣接する部屋で強く感じられる工事騒音に着目して、それら限られたエリアの部屋でのみ送信装置からのマスキング音を再生装置で再生するから、強く感じられるはずの騒音の緩和を図れながら、それ以外の部屋では、静寂性を維持することができる。
また、工事の進捗に伴って工事エリアの位置が対象建築物内で移動するような場合でも、各部屋のアッテネータを切替操作するだけで、迅速に追従することができ、マスキングを図る対象を、移動した工事エリアに隣接する部屋に切り替えて工事騒音マスキングを継続することができる。
例えば、病院や集合住宅等のように多数の部屋を備えた対象建築物の改修工事においては、各部屋を使用しながら工事を進めるために、対象建築物の全体を一度に改修するのではなく、工事エリアを局部的に設定して、その工事エリアを工事の進捗に合わせて移動する方法が採用されることがある。このような工事環境下においては、特に、工事エリアの周りの工事騒音マスキングが必要となり、当該特徴構成によれば、このニーズをより効率よく叶えることができる。
また、対象建築物が既存建築物である場合には、各部屋に予め設置されている再生装置をそのまま使用して、工事騒音マスキングを実施することができ、経済的である。
但し、再生装置は既存のものに限るものではなく、新たに再生装置を各部屋に設置することも発明には包含されていることは勿論である。
また、アッテネータとして、非常放送対応の３線タイプのものを使用すれば、例えば、アッテネータを０に切り替えてマスキング音を流さない設定で使用している部屋であっても、非常放送時には、その非常放送を聴くことができる。
【図面の簡単な説明】
【００１８】
【図１】第１実施形態の工事騒音マスキング設備の使用状態を示す模式図
【図２】第１実施形態の工事騒音マスキング設備の構成ブロック図
【図３】第２実施形態の工事騒音マスキング設備の使用状態を示す模式図
【図４】第２実施形態の工事騒音マスキング設備の構成ブロック図
【図５】別実施形態の工事騒音マスキング方法を示す模式図
【図６】工事騒音マスキングの実施状況を示す説明図
【発明を実施するための形態】
【００１９】
以下に本発明の実施の形態を図面に基づいて説明する。
【００２０】
〔第１実施形態〕
図１、図２は、本発明の工事騒音マスキング設備Ｍの一実施形態品の使用状態を示す模式図である。
第１実施形態の工事騒音マスキング設備（以後、単に「マスキング設備」という）Ｍ１を、病棟（対象建築物の一例）Ｂに設置してある例を示している。
病棟Ｂは、複数階を備えた既存の病院建物であり、各階とも病室として使用されている部屋Ｒが複数個設けられている。
また、病棟Ｂでは、マスキング設備Ｍ１を使用しながら、各部屋Ｒの改修工事（建築工事の一例）が順次実施される。
【００２１】
図１は、中央部分の部屋Ｒ１において改修工事が実施されている状況を示している。
この状況においては、中央部分の部屋Ｒ１が工事エリアＫとなっている。
改修工事は、例えば、耐震改修工事や、設備改修工事や、内装改修工事等が挙げられる。そして、それらの改修工事では、内装材の撤去、下地の改修、補強部材の設置、配管の設置、化粧材の設置等、複数の工種が適宜実施される。それぞれの工種の実施に当たっては、例えば、躯体を斫ったり、躯体や建材に穴を開けたり、釘やボルトを取り付ける等の作業が伴うことがあり、それらの作業に伴っては、大きな音や、振動等の建築工事騒音が発生する。
【００２２】
工事エリアＫで発生した建築工事騒音は、建物躯体や空間を通して周囲の複数の部屋Ｒに伝わる。これらの建築工事騒音は、特に、工事エリアＫの上下左右に隣接する部屋Ｒに伝わりやすい。
よって、当該実施形態においては、中央部分の部屋Ｒ１の左右の部屋Ｒ２と、上下の部屋Ｒ３とを対象として工事騒音マスキングを実施している。
工事騒音マスキングそのものは、マスキング設備Ｍ１を使用して、マスキング音を上述の各部屋Ｒ１，Ｒ２，Ｒ３で再生し、そのマスキング音によって建築工事騒音が在室者に聞こえ難い状態をつくることで実施される。
【００２３】
マスキング設備Ｍ１は、上下左右の各部屋Ｒ３，Ｒ４にそれぞれ設置撤去が可能で且つマスキング音の再生が可能な複数の再生装置１と、それら再生装置１から、建築工事騒音に対応するマスキング音が再生されるように音データ（信号データ２の一例）２Ａを各再生装置１に無線放送によって送信する送信装置３とを設けて構成してある。
当該実施形態においては、前記送信装置３も、再生装置１と同様に、工事エリアＫに設置撤去が可能に形成してある。従って、中央部分の部屋Ｒ１での工事が終了して、隣の部屋Ｒ２に工事エリアＫを移動させる場合、再生装置１も送信装置３も簡単に該当する部屋に移動させて設置し直すことができる。
【００２４】
再生装置１は、図２に示すように、送信装置３からの音データ２Ａの電波を受信する受信部４と、受信した音データ２Ａを増幅する増幅部５と、増幅された音データ２Ａを音として再現するスピーカ部６とを、キャビネット１ａの中に組み込んで構成してある。
再生装置１は、コンセントからの受電によって作動できる。
また、キャビネット１ａには、移動を円滑に実施できるように、キャスター１ｂが取り付けてある。
スピーカ部６から発せられるマスキング音は、送信装置３で決定され、電波にのせて送られてきた音データ２Ａによるものであり、その音量調整は、増幅部５に備えた調整機構によって実施できる。
【００２５】
送信装置３は、図２に示すように、音データ２Ａを記録してある記録部７と、音データ２Ａを電波にのせて再生装置１へ送信する送信部８と、記録部７の音データ２Ａを読み取って送信部８から送信させるように記録部７と送信部８とを制御する制御部９と、送信する音データ２Ａをモニターできるように再生するモニタ機構１０とを、キャビネット３ａの中に組み込んで構成してある。
このキャビネット３ａにも、キャスター３ｂが取り付けてある。
送信装置３は、制御部９につながった入力部１１から送信指令を入力することで、記録部７に記録された音データ２Ａを各再生装置１に一斉に送信するよう構成してある。
記録部７に記録しておく音データ２Ａは、工事エリアＫで実施する工種に対応したマスキング音を予め選択してある。
因みに、記録部７に、異なる種類の複数の音データ２Ａを記録しておき、工事エリアＫで実施する工種に対応した音データ２Ａをその中から選択して、入力部１１からの送信指令によって、各再生装置１に送信するように構成することもでもよい。
【００２６】
前記音データ２Ａは、例えば、ピンクノイズや、ホワイトノイズや、工事騒音の中心波長域の音が混ざった音楽等のデータが使用される。
【００２７】
本実施形態のマスキング設備Ｍ１によれば、工事エリアＫでの改修工事の工種ごとに対応したマスキング音を、上下左右の各部屋Ｒに設置した再生装置１から再生することができるから、図６に示すように、各部屋Ｒでは良好なマスキング効果が得られ、騒音緩和を図った状態で改修工事を進めることができる。
また、再生装置１と送信装置３とは、無線放送によってデータの送受信を行っているから、配線等の作業に煩わされることなく、効率よく設置撤去作業を実施できると共に、工事エリアＫの移動の際にも、マスキング設備Ｍ１ごと簡単且つ迅速に移動させることができる。
【００２８】
〔第２実施形態〕
図３、図４は、第２実施形態のマスキング設備Ｍ２の設置状況を示している。
尚、第１実施形態と重複する構成に関しては省略し、異なっている点を主に説明する。
【００２９】
当該マスキング設備Ｍ２は、再生装置１と送信装置３との接続形態が、第１実施形態と異なっている。
第１実施形態のマスキング設備Ｍ１では、再生装置１と送信装置３とが無線放送によって接続されているのに対して、第２実施形態のマスキング設備Ｍ２は、ＬＡＮ１５を介して接続されている点が大きく異なっている。
ここでは、病棟Ｂに備えられている既存の有線ＬＡＮをそのまま使用するとして説明をするが、この形態に限るものではなく、例えば、当該工事を実施するために新たにＬＡＮ１５を設置するものであってもよい。更には、有線ＬＡＮとしては、ＰＣＬ（電力線通信）方式を利用するものであってもよい。また、用いるＬＡＮ１５は、有線ＬＡＮに限らず、無線ＬＡＮであっても良いことは勿論である。
【００３０】
ＬＡＮ１５は、接続機器どうしを中継機器（ハブやルータ）を介してＬＡＮケーブルによって接続できるように構成してあり、各部屋Ｒには、ＬＡＮ接続用のコネクタ１６が設けてある。このコネクタ１６に再生装置１や送信装置３を接続することで、互いの間でのデータの送受信が可能となる。
【００３１】
再生装置１は、図４に示すように、第１実施形態で説明した受信部４に替えて、ＬＡＮ１５と接続するインターフェースを備えたコントローラ１７が設けてあり、コントローラ１７が備えた固有のＩＤによってＬＡＮ１５上で認識されるように構成されている。
従って、送信装置３からＬＡＮ１５を経由して再生装置１に送信された音データ２Ａは、コントローラ１７の制御によって増幅部５で増幅されてスピーカ部６からマスキング音として再生される。
【００３２】
送信装置３は、ＬＡＮ１５と接続するインターフェースを制御部９に備えてあり、再生装置１と同様に、固有のＩＤによってＬＡＮ１５上で認識されるように構成されている。
また、第１実施形態で説明した送信部８に替えて、制御部９のインターフェースが再生装置１へのデータ送信の機能を担う。
【００３３】
本実施形態のマスキング設備Ｍ２によれば、工事エリアＫでの改修工事の工種ごとに対応したマスキング音を、上下左右の各部屋Ｒに設置した再生装置１から再生することができるから、図６に示すように、各部屋Ｒでは良好なマスキング効果が得られ、騒音緩和を図った状態で改修工事を進めることができる。
また、再生装置１と送信装置３とは、それぞれの部屋ＲのコネクタにＬＡＮケーブルを接続するだけで送受信可能な状態に接続され、装置の設置撤去作業や移動作業を簡単且つ迅速に行うことができる。
また、送信装置３において、各再生装置１のＩＤを指定してそれぞれに送信する音データを個別に選択することができるようになる。その結果、工事エリアＫに隣接する各部屋Ｒの環境差に応じて、最も効果的なマスキング音を個別に選択して送信することが可能となり、より効果的な工事騒音マスキングを実施できるようになる。
更には、ＬＡＮ１５に接続した他のコンピュータを使用した組織的なデータ管理やサウンドコントロールも可能となる。
【００３４】
〔別実施形態〕
以下に他の実施の形態を説明する。
【００３５】
〈１〉  対象建築物Ｂは、先の実施形態で説明した病棟に限るものではなく、集合住宅や事務所や学校等、複数の部屋を備えた建築物Ｂに当該工事騒音マスキング技術を採用することができる。
また、工事エリアＫは、先の実施形態で説明したように、複数の部屋Ｒの内の１つが工事エリアＫとなることに限るものではなく、例えば、部屋Ｒに近接する個所に新たな部屋等を増築するような場合には、その増築部分が工事エリアＫに相当する。
即ち、本発明の工事騒音マスキング技術は、改修工事のみならず、増築工事にも適用させることができる。
【００３６】
〈２〉  マスキング設備Ｍは、先の実施形態で説明した無線放送形式（第１実施形態）のものや、ＬＡＮ形式（第２実施形態）のものに限るものではなく、例えば、図５に示すように、対象建築物に館内放送用に組み込まれた放送設備を使用するものであってもよい。
この場合、アッテネータ１ｃを備えた再生装置１を各部屋Ｒに設けておくと共に、各再生装置１にマスキング音を送信可能な送信装置３を設けておく。送信装置３から各再生装置１に送信する音データ２Ａは、アッテネータ１ｃの操作によって、各部屋Ｒで任意の音量で聴くことができる。また、アッテネータ１ｃとして非常放送対応の３線タイプのものを使用するのが好ましく、この場合は、例えば、アッテネータ１ｃを０に切り替えてマスキング音を流さない設定で使用している部屋であっても、非常放送時には、その非常放送を聴くことができる。
以上のマスキング設備を使用した工事騒音マスキング方法は、建築工事の実施に伴って、工事エリアＫに隣接する部屋の再生装置１のみがマスキング音を再生するようにアッテネータ１ｃを切替操作し、送信装置３から再生装置１にマスキング音を送信することで実施することができる。
【００３７】
〈３〉  送信装置３は、先の各実施形態で説明した構成のみに限定されるものではなく、例えば、工事エリアＫでの工事予定を入力可能な機能を備えた記録部７と、記録部７に記録されている工事予定に合わせて信号データ２を送信制御する機能を備えた制御部９とを設けるものであってもよい。
この実施形態における工事予定とは、例えば、工事の開始予定時刻や、工種等、工程表に記載される内容の一つ又は複数の項目を例に挙げることができる。
前記制御部９では、工事予定の開始予定時刻をもとにして、その時刻になると信号データ２を再生装置１に自動送信することができる。この場合、送信装置３の操作に気を取られずに、工事に専念することができ、作業効率の向上を図ることができる。
また、工種によって異なる建築工事騒音が発せられる場合に、それら各建築工事騒音の種類に対応して、複数種の信号データ２を送信装置３に用意しておき、制御部９は、記録部７の工事予定に記された工種をもとにして建築工事騒音の種類を特定し、対応する信号データ２を選択して送信制御するように構成してあってもよい。この場合、工種によって異なる建築工事騒音が発せられても、常に、もっともマスキング効果の高いマスキング音を選択して部屋Ｒに流すことができる。
【００３８】
〈４〉  信号データ２は、マスキング音そのものの音データ２Ａであるものに限らず、例えば、再生装置１にマスキング音の音データ２Ａが用意されているような場合には、再生装置１に対して該当する音データ２Ａを再生させるための指令信号データが信号データ２となる。これらを含めて信号データ２という。
【００３９】
〈５〉  送信装置１は、先の実施形態で説明したように、工事エリアＫに設置されることに限るものではなく、例えば、再生装置３を設置してある部屋Ｒに設置してあったり、又は、各部屋Ｒとは別の個所（例えば、管理事務所や工事事務所）に設置してあってもよい。
【００４０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４１】
１      再生装置
１ｃ    アッテネータ
２      信号データ
３      送信装置
７      記録部
９      制御部
Ｂ      病棟（対象建築物の一例）
Ｋ      工事エリア
Ｒ      部屋
【図１】
2012247698.tif 000003
【図２】
2012247698.tif 000004
【図３】
2012247698.tif 000005
【図４】
2012247698.tif 000006
【図５】
2012247698.tif 000007
【図６】
2012247698.tif 000008